(57)【要約】  花序直径が７ｃｍを超えるセイヨウマツムシソウ植物（Ｓｃａｂｉｏｓａ  ａｔｒｏｐｕｒｐｕｒｅａ  ｐｌａｎｔ）が提供される。また、花柄長が６０ｃｍを超えるセイヨウマツムシソウ植物、及び花柄直径が５ｍｍを超えるセイヨウマツムシソウ植物も提供される。【特許請求の範囲】
【請求項１】
花序直径が７ｃｍを超えるセイヨウマツムシソウ植物（Ｓｃａｂｉｏｓａ  ａｔｒｏｐｕｒｐｕｒｅａ  ｐｌａｎｔ）。
【請求項２】
花柄長が６０ｃｍを超えるセイヨウマツムシソウ植物。
【請求項３】
花柄直径が５ｍｍを超えるセイヨウマツムシソウ植物。
【請求項４】
花柄長が６０ｃｍを超え、花柄直径が５ｍｍを超える、セイヨウマツムシソウ植物。
【請求項５】
花柄長が６０ｃｍを超える、請求項１に記載の植物。
【請求項６】
花柄直径が５ｍｍを超える、請求項１又は請求項５に記載の植物。
【請求項７】
花柄長が６０ｃｍ未満である、請求項１に記載の植物。
【請求項８】
花柄直径が５ｍｍ未満である、請求項１又は請求項７に記載の植物。
【請求項９】
前記花序とは前記植物の第１花序をいう、請求項１又は請求項５〜請求項８のいずれか一項に記載の植物。
【請求項１０】
花序直径が８ｃｍ以上である、請求項１又は請求項５〜請求項９のいずれか一項に記載の植物。
【請求項１１】
前記花序の含む舌状花は、同じ発生段階にあり且つ対照栽培条件にある前記セイヨウマツムシソウ植物の花序の含む舌状花と比較して、小花数として１０％以上増加している、請求項１又は請求項５〜請求項１０のいずれか一項に記載の植物。
【請求項１２】
前記花序の含む管状花は、同じ発生段階にあり且つ対照栽培条件にある前記セイヨウマツムシソウ植物の花序の含む管状花と比較して、小花数として１０％以上増加している、請求項１又は請求項５〜請求項１１のいずれか一項に記載の植物。
【請求項１３】
前記花序の管状花の小花開花と前記花序の舌状花の小花開花が同時に起こる、請求項１又は請求項５〜請求項１２のいずれか一項に記載の植物。
【請求項１４】
前記花序の管状花の小花開花は前記花序の舌状花の小花開花の２〜３日後に起こる、請求項１又は請求項５〜請求項１２のいずれか一項に記載の植物。
【請求項１５】
前記花序の管状花の小花開花は前記花序の舌状花の小花開花の３日後に起こる、請求項１又は請求項５〜請求項１２のいずれか一項に記載の植物。
【請求項１６】
祖先としてラベンダースクープ（商標）、チェリーバニラスクープ（商標）、ブラックベリースクープ（商標）、マシュマロスクープ（商標）、及びバニラスクープ（商標）を有する、請求項１〜請求項１２のいずれか一項に記載の植物。
【請求項１７】
２０１８年６月５日にブダペスト条約の下で韓国タイプカルチャーコレクションにＫＣＴＣ１３５４１ＢＰの番号で種子が寄託されたＳＢ−１５−１４８３、２０１８年７月１１日にブダペスト条約の下でＮＣＩＭＢ社（スコットランド、アバディーン、バックスバーン、クライブストーン・エステート、ファーガソンビルディング）にＮＣＩＭＢ４３０９５の番号で種子が寄託されたＳＢ−１５−１４８４、２０１８年７月１１日にブダペスト条約の下でＮＣＩＭＢ社（スコットランド、アバディーン、バックスバーン、クライブストーン・エステート、ファーガソンビルディング）にＮＣＩＭＢ４３０９６の番号で種子が寄託されたＳＢ−１５−１５０３、２０１８年６月５日にブダペスト条約の下で韓国タイプカルチャーコレクションにＫＣＴＣ１３５４２ＢＰの番号で種子が寄託されたＳＢ−１５−１５０４、２０１８年８月６日にブダペスト条約の下でＮＣＩＭＢ社（スコットランド、アバディーン、バックスバーン、クライブストーン・エステート、ファーガソンビルディング）にＮＣＩＭＢ４３１４１の番号で種子が寄託されたＳＢ−１５−１５７７、２０１８年７月１１日にブダペスト条約の下でＮＣＩＭＢ社（スコットランド、アバディーン、バックスバーン、クライブストーン・エステート、ファーガソンビルディング）にＮＣＩＭＢ４３１３９の番号で種子が寄託されたＳＢ−１６−１５９３、２０１８年８月６日にブダペスト条約の下でＮＣＩＭＢ社（スコットランド、アバディーン、バックスバーン、クライブストーン・エステート、ファーガソンビルディング）にＮＣＩＭＢ４３１４２の番号で種子が寄託されたＳＢ−１６−１５９７、２０１８年７月１１日にブダペスト条約の下でＮＣＩＭＢ社（スコットランド、アバディーン、バックスバーン、クライブストーン・エステート、ファーガソンビルディング）にＮＣＩＭＢ４３１３８の番号で種子が寄託されたＳＢ−１５−１５７５、２０１８年８月６日にブダペスト条約の下でＮＣＩＭＢ社（スコットランド、アバディーン、バックスバーン、クライブストーン・エステート、ファーガソンビルディング）にＮＣＩＭＢ４３１４０の番号で種子が寄託されたＳＢ−１５−１５７４、２０１８年６月５日にブダペスト条約の下で韓国タイプカルチャーコレクションにＫＣＴＣ１３５４３ＢＰの番号で種子が寄託されたＳＢ−１５−１５５０、２０１８年６月５日にブダペスト条約の下で韓国タイプカルチャーコレクションにＫＣＴＣ１３５４５ＢＰの番号で種子が寄託されたＳＢ−１５−１５９２、２０１８年７月１１日にブダペスト条約の下でＮＣＩＭＢ社（スコットランド、アバディーン、バックスバーン、クライブストーン・エステート、ファーガソンビルディング）にＮＣＩＭＢ４３０９９の番号で種子が寄託されたＳＢ−１６−１５３９、２０１８年６月５日にブダペスト条約の下で韓国タイプカルチャーコレクションにＫＣＴＣ１３５４７ＢＰの番号で種子が寄託されたＳＢ−１６−１５７６、２０１８年６月５日にブダペスト条約の下でＮＣＩＭＢ社（スコットランド、アバディーン、バックスバーン、クライブストーン・エステート、ファーガソンビルディング）にＮＣＩＭＢ４３０７０の番号で種子が寄託されたＳＢ−１５−１４９６、２０１８年６月５日にブダペスト条約の下でＮＣＩＭＢ社（スコットランド、アバディーン、バックスバーン、クライブストーン・エステート、ファーガソンビルディング）にＮＣＩＭＢ４３０７１の番号で種子が寄託されたＳＢ−１６−１５２８、２０１８年７月１１日にブダペスト条約の下でＮＣＩＭＢ社（スコットランド、アバディーン、バックスバーン、クライブストーン・エステート、ファーガソンビルディング）にＮＣＩＭＢ４３０９７の番号で種子が寄託されたＳＢ−１５−１５１５、２０１８年７月１１日にブダペスト条約の下でＮＣＩＭＢ社（スコットランド、アバディーン、バックスバーン、クライブストーン・エステート、ファーガソンビルディング）にＮＣＩＭＢ４３１００の番号で種子が寄託されたＳＢ−１６−１５５５、２０１８年７月１１日にブダペスト条約の下でＮＣＩＭＢ社（スコットランド、アバディーン、バックスバーン、クライブストーン・エステート、ファーガソンビルディング）にＮＣＩＭＢ４３１０１の番号で種子が寄託されたＳＢ−１６−１５６２、及び２０１８年６月５日にブダペスト条約の下でＮＣＩＭＢ社（スコットランド、アバディーン、バックスバーン、クライブストーン・エステート、ファーガソンビルディング）にＮＣＩＭＢ４３０７２の番号で種子が寄託されたＳＢ−１６−１５８９からなる群より選択される、請求項１〜請求項１６のいずれか一項に記載の植物。
【請求項１８】
請求項１〜請求項１７のいずれか一項に記載の植物の一部分。
【請求項１９】
花柄、葉、花粉、胚、子葉、胚軸、成長点、根、根端、雌ずい、葯、花、小花、茎、胚珠、種子、及び葉柄からなる群より選択される、請求項１８に記載の植物の一部分。
【請求項２０】
請求項１〜請求項１７のいずれか一項に記載の植物の花。
【請求項２１】
切り花である、請求項２０に記載の花。
【請求項２２】
請求項１〜請求項１７のいずれか一項に記載の植物の花粉。
【請求項２３】
請求項１〜請求項１７のいずれか一項に記載の植物の種子。
【請求項２４】
請求項１〜請求項１７のいずれか一項に記載の植物の胚珠。
【請求項２５】
請求項１〜請求項１７のいずれか一項に記載の植物の挿し穂。
【請求項２６】
請求項１〜請求項１７のいずれか一項に記載の植物の細胞を含む組織培養物。
【請求項２７】
ハイブリッド植物体である、請求項１〜請求項１７のいずれか一項に記載の植物、又は植物の部分。
【請求項２８】
自殖植物体である、請求項１〜請求項１７のいずれか一項に記載の植物、又は植物の部分。
【請求項２９】
（ａ）低太陽放射条件（reduced solar radiation conditions）を生じさせるための覆いの下でセイヨウマツムシソウ植物体群を栽培すること、及び
（ｂ）同じ発生段階にあり且つ対照栽培条件にある前記セイヨウマツムシソウ植物体群よりも直径、花柄長及び／又は花柄直径が大きい花序を示す植物体を、前記植物体群から選別すること
を含む、請求項１〜請求項２８のいずれか一項に記載の植物を開発する方法。
【請求項３０】
一つ又は複数の前記植物体を自殖又は交雑させること、並びに、直径、花柄長及び／又は花柄直径がより大きい前記花序について選別することをさらに含む、請求項２９に記載の方法。
【請求項３１】
前記花序の含む舌状花は、同じ発生段階にあり且つ対照栽培条件にある前記セイヨウマツムシソウ植物の花序の含む舌状花と比較して、小花数として１０％以上増加している、請求項２９又は請求項３０に記載の方法。
【請求項３２】
前記花序の含む管状花は、同じ発生段階にあり且つ対照栽培条件にある前記セイヨウマツムシソウ植物の花序の含む管状花と比較して、小花数として１０％以上増加している、請求項２９又は請求項３０に記載の方法。
【請求項３３】
より大きい花柄直径を有する花序について選別を行うことをさらに含む、請求項３０に記載の方法。
【請求項３４】
前記栽培は２５℃以下の温度の下で行われる、請求項２９〜請求項３３のいずれか一項に記載の方法。
【請求項３５】
前記栽培は温室又はトンネルの中で行われる、請求項２９〜請求項３４のいずれか一項に記載の方法。
【請求項３６】
前記温室又はトンネルはポリエテンフィルムで覆われている、請求項３５に記載の方法。
【請求項３７】
前記ポリエチレンシートはイスラエルのＧｅｎｉｇａｒ社の「サン・セレクター」ＡＶ  ｔｈｅｒｍａｌ  ＩＲ、Ｃ４００  ＩＲ  ＡＶ  ＤＩＦＦ−１２０ミクロンと実質的に同じ仕様を有する、請求項３６に記載の方法。
【請求項３８】
前記低放射（reduced radiation）は、前記温室又はトンネルを通過する太陽放射のうちのＰＡＲ放射が４０％以上削減されている放射である、請求項３５〜請求項３７のいずれか一項に記載の方法。
【請求項３９】
前記低放射は、前記温室又はトンネルを通過する太陽放射のうちのＵＶ放射が９０％以上削減されている放射である、請求項３５〜請求項３８のいずれか一項に記載の方法。
【請求項４０】
請求項２９〜請求項３９のいずれか一項に記載の方法によって得られるセイヨウマツムシソウ植物。
【請求項４１】
（ａ）請求項１〜請求項２８のいずれか一項のセイヨウマツムシソウ植物と、該セイヨウマツムシソウ植物とは異なる遺伝的バックグラウンドを有する別の請求項１〜請求項２８のいずれか一項のセイヨウマツムシソウ植物とを、交雑すること、；
（ｂ）前記交雑の後に種子群を回収すること；
（ｃ）前記種子群を播種し、前記種子群を植物体群に栽培すること；及び
（ｄ）ハイブリッド植物体を選別すること
を含む、セイヨウマツムシソウ植物を作製する方法。
【請求項４２】
前記選別は花序直径、花柄長及び／又は花柄直径に基づいて行われる、請求項４１に記載の方法。
【請求項４３】
請求項４１又は請求項４２に記載の方法によって作製されるハイブリッド植物体又は前記ハイブリッド植物体の一部分。
【請求項４４】
自殖育種及び／又は交雑育種のための育種材料源として請求項１〜請求項２８のいずれか一項に記載の前記植物又は前記植物の一部分を使用することを含む、植物育種技術を用いて栽培植物を開発する方法。
【請求項４５】
２０１８年６月５日にブダペスト条約の下で韓国タイプカルチャーコレクションにＫＣＴＣ１３５４１ＢＰの番号で種子が寄託されたＳＢ−１５−１４８３、２０１８年７月１１日にブダペスト条約の下でＮＣＩＭＢ社（スコットランド、アバディーン、バックスバーン、クライブストーン・エステート、ファーガソンビルディング）にＮＣＩＭＢ４３０９５の番号で種子が寄託されたＳＢ−１５−１４８４、２０１８年７月１１日にブダペスト条約の下でＮＣＩＭＢ社（スコットランド、アバディーン、バックスバーン、クライブストーン・エステート、ファーガソンビルディング）にＮＣＩＭＢ４３０９６の番号で種子が寄託されたＳＢ−１５−１５０３、２０１８年６月５日にブダペスト条約の下で韓国タイプカルチャーコレクションにＫＣＴＣ１３５４２ＢＰの番号で種子が寄託されたＳＢ−１５−１５０４、２０１８年８月６日にブダペスト条約の下でＮＣＩＭＢ社（スコットランド、アバディーン、バックスバーン、クライブストーン・エステート、ファーガソンビルディング）にＮＣＩＭＢ４３１４１の番号で種子が寄託されたＳＢ−１５−１５７７、２０１８年７月１１日にブダペスト条約の下でＮＣＩＭＢ社（スコットランド、アバディーン、バックスバーン、クライブストーン・エステート、ファーガソンビルディング）にＮＣＩＭＢ４３１３９の番号で種子が寄託されたＳＢ−１６−１５９３、２０１８年８月６日にブダペスト条約の下でＮＣＩＭＢ社（スコットランド、アバディーン、バックスバーン、クライブストーン・エステート、ファーガソンビルディング）にＮＣＩＭＢ４３１４２の番号で種子が寄託されたＳＢ−１６−１５９７、２０１８年７月１１日にブダペスト条約の下でＮＣＩＭＢ社（スコットランド、アバディーン、バックスバーン、クライブストーン・エステート、ファーガソンビルディング）にＮＣＩＭＢ４３１３８の番号で種子が寄託されたＳＢ−１５−１５７５、２０１８年８月６日にブダペスト条約の下でＮＣＩＭＢ社（スコットランド、アバディーン、バックスバーン、クライブストーン・エステート、ファーガソンビルディング）にＮＣＩＭＢ４３１４０の番号で種子が寄託されたＳＢ−１５−１５７４、２０１８年６月５日にブダペスト条約の下で韓国タイプカルチャーコレクションにＫＣＴＣ１３５４３ＢＰの番号で種子が寄託されたＳＢ−１５−１５５０、２０１８年６月５日にブダペスト条約の下で韓国タイプカルチャーコレクションにＫＣＴＣ１３５４５ＢＰの番号で種子が寄託されたＳＢ−１５−１５９２、２０１８年７月１１日にブダペスト条約の下でＮＣＩＭＢ社（スコットランド、アバディーン、バックスバーン、クライブストーン・エステート、ファーガソンビルディング）にＮＣＩＭＢ４３０９９の番号で種子が寄託されたＳＢ−１６−１５３９、２０１８年６月５日にブダペスト条約の下で韓国タイプカルチャーコレクションにＫＣＴＣ１３５４７ＢＰの番号で種子が寄託されたＳＢ−１６−１５７６、２０１８年６月５日にブダペスト条約の下でＮＣＩＭＢ社（スコットランド、アバディーン、バックスバーン、クライブストーン・エステート、ファーガソンビルディング）にＮＣＩＭＢ４３０７０の番号で種子が寄託されたＳＢ−１５−１４９６、２０１８年６月５日にブダペスト条約の下でＮＣＩＭＢ社（スコットランド、アバディーン、バックスバーン、クライブストーン・エステート、ファーガソンビルディング）にＮＣＩＭＢ４３０７１の番号で種子が寄託されたＳＢ−１６−１５２８、２０１８年７月１１日にブダペスト条約の下でＮＣＩＭＢ社（スコットランド、アバディーン、バックスバーン、クライブストーン・エステート、ファーガソンビルディング）にＮＣＩＭＢ４３０９７の番号で種子が寄託されたＳＢ−１５−１５１５、２０１８年７月１１日にブダペスト条約の下でＮＣＩＭＢ社（スコットランド、アバディーン、バックスバーン、クライブストーン・エステート、ファーガソンビルディング）にＮＣＩＭＢ４３１００の番号で種子が寄託されたＳＢ−１６−１５５５、２０１８年７月１１日にブダペスト条約の下でＮＣＩＭＢ社（スコットランド、アバディーン、バックスバーン、クライブストーン・エステート、ファーガソンビルディング）にＮＣＩＭＢ４３１０１の番号で種子が寄託されたＳＢ−１６−１５６２からなる群より選択される、セイヨウマツムシソウ植物。
【発明の詳細な説明】
【技術分野】
【０００１】
本発明は本発明の幾つかの実施形態ではセイヨウマツムシソウ植物及び同植物の作製方法に関する。
【背景技術】
【０００２】
セイヨウマツムシソウ（Ｓｃａｂｉｏｓａ  ａｔｒｏｐｕｒｐｕｒｅａ）はマツムシソウ科に数えられる（米国農務省）。マツムシソウ科は８属約１５０種からなる小さな科である。マツムシソウ科は主にヨーロッパ、アジア、アフリカ、特に地中海領域に分布している。属としてはマツムシソウ属（１００種）、クナウティア属（５０種）及びナベナ属（１５種）が挙げられる（Ｂｏｕｌｏｓ著、２００２年、Ｆｌｏｒａ  ｏｆ  Ｅｇｙｐｔ第３巻）。マツムシソウ属は複雑性に関して分類学的に最も重要なマツムシソウ科のメンバーである（Ｖｅｒｌａｑｕｅ著、１９８６年ａ、Ｅｔｕｄｅ  ｂｉｏｓｙｓｔｅｍａｔｉｑｕｅ  ｅｔ  ｐｈｙｌｏｇｅｎｅｔｉｑｕｅ  ｄｅｓＤｉｐｓａｃａｃｅａｅ．  ＩＶ．−Ｔｒｉｂｕｓ  ｄｅｓＳｃａｂｉｏｓｅａｅ  （ｐｈｙｌｕｍ  ｎ°  １，  ２，  ３）．Ｒｅｖ．  Ｃｙｔｏｌ．  Ｂｉｏｌ．  Ｖｅｇ．  Ｌｅ  Ｂｏｔａｎｉｓｔｅ誌、第９巻：５〜７２頁；Ｖｅｒｌａｑｕｅ著、１９８６年ｂ、Ｅｔｕｄｅ  ｂｉｏｓｙｓｔｅｍａｔｉｑｕｅ  ｅｔ  ｐｈｙｌｏｇｅｎｅｔｉｑｕｅ  ｄｅｓＤｉｐｓａｃａｃｅａｅ．  Ｖ．−Ｔｒｉｂｕｓ  ｄｅｓＳｃａｂｉｏｓｅａｅ  （ｐｈｙｌｕｍ  ｎ°  ４）  ｅｔ  ｃｏｎｃｌｕｓｉｏｎ．Ｒｅｖ．  Ｃｙｔｏｌ．  Ｂｉｏｌ．  Ｖｅｇ．  Ｌｅ  Ｂｏｔａｎｉｓｔｅ誌、第９巻：９７〜１７６頁）。この属は主にユーラシア温帯地域、地中海領域、東アフリカ山岳地域、南アフリカに存在する（Ｂｏｕｌｏｓ著、２００２年、Ｆｌｏｒａ  ｏｆ  Ｅｇｙｐｔ第３巻）。
【０００３】
マツムシソウ属には多くの場合に異形葉を示す一年草又は多年草が含まれる。セイヨウマツムシソウはヨーロッパ及び米国で庭園植物（例えばキンツラー種）として多年にわたり市販されている。セイヨウマツムシソウ品種が米国及びヨーロッパで切り花として市場に出回り始めたのは近年のことである（Ｄａｎｚｉｇｅｒ  Ｄａｎ  Ｆｌｏｗｅｒ  Ｆａｒｍが率先し、Ｈｉｌｌｖｅｒｄａ  Ｋｏｏｊｉがそれに続く）。
【発明の概要】
【０００４】
本発明の幾つかの実施形態の一態様によれば、花序直径が７ｃｍを超えるセイヨウマツムシソウ植物（Ｓｃａｂｉｏｓａ  ａｔｒｏｐｕｒｐｕｒｅａ  ｐｌａｎｔ）が提供される。
【０００５】
本発明の幾つかの実施形態の一態様によれば、花柄長が６０ｃｍを超えるセイヨウマツムシソウ植物が提供される。
【０００６】
本発明の幾つかの実施形態の一態様によれば、花柄直径が５ｍｍを超えるセイヨウマツムシソウ植物が提供される。
【０００７】
本発明の幾つかの実施形態の一態様によれば、花柄長が６０ｃｍを超え、花柄直径が５ｍｍを超える、セイヨウマツムシソウ植物が提供される。
【０００８】
本発明の幾つかの実施形態によれば、前記植物は花柄長が６０ｃｍを超える。
【０００９】
本発明の幾つかの実施形態によれば、前記植物は花柄直径が５ｍｍを超える。
【００１０】
本発明の幾つかの実施形態によれば、前記植物は花柄長が６０ｃｍ未満である。
【００１１】
本発明の幾つかの実施形態によれば、前記植物は花柄直径が５ｍｍ未満である。
【００１２】
本発明の幾つかの実施形態によれば、前記花序とは前記植物の第１花序を指す。
【００１３】
本発明の幾つかの実施形態によれば、花序直径が８ｃｍ以上である。
【００１４】
本発明の幾つかの実施形態によれば、前記花序の含む舌状花は、同じ発生段階にあり且つ対照栽培条件にある前記セイヨウマツムシソウ植物の花序の含む舌状花と比較して、小花数として１０％以上増加している。（11）
【００１５】
本発明の幾つかの実施形態によれば、前記花序の管状花の小花開花と前記花序の舌状花の小花開花が同時に起こる。
【００１６】
本発明の幾つかの実施形態によれば、前記花序の管状花の小花開花は前記花序の舌状花の小花開花の２〜３日後に起こる。
【００１７】
本発明の幾つかの実施形態によれば、前記花序の管状花の小花開花は前記花序の舌状花の小花開花の３日後に起こる。
【００１８】
本発明の幾つかの実施形態によれば、前記花序の含む管状花は、同じ発生段階にあり且つ対照栽培条件にある前記セイヨウマツムシソウ植物の花序の含む管状花と比較して、小花数として１０％以上増加している。（12）
【００１９】
本発明の幾つかの実施形態によれば、前記植物は祖先としてラベンダースクープ（商標）、チェリーバニラスクープ（商標）、ブラックベリースクープ（商標）、マシュマロスクープ（商標）、及びバニラスクープ（商標）を有する。
【００２０】
本発明の幾つかの実施形態によれば、前記植物の種子は、２０１８年６月５日にブダペスト条約の下で韓国タイプカルチャーコレクションにＫＣＴＣ１３５４１ＢＰの番号で種子が寄託されたＳＢ−１５−１４８３、２０１８年７月１１日にブダペスト条約の下でＮＣＩＭＢ社（スコットランド、アバディーン、バックスバーン、クライブストーン・エステート、ファーガソンビルディング）にＮＣＩＭＢ４３０９５の番号で種子が寄託されたＳＢ−１５−１４８４、２０１８年７月１１日にブダペスト条約の下でＮＣＩＭＢ社（スコットランド、アバディーン、バックスバーン、クライブストーン・エステート、ファーガソンビルディング）にＮＣＩＭＢ４３０９６の番号で種子が寄託されたＳＢ−１５−１５０３、２０１８年６月５日にブダペスト条約の下で韓国タイプカルチャーコレクションにＫＣＴＣ１３５４２ＢＰの番号で種子が寄託されたＳＢ−１５−１５０４、２０１８年８月６日にブダペスト条約の下でＮＣＩＭＢ社（スコットランド、アバディーン、バックスバーン、クライブストーン・エステート、ファーガソンビルディング）にＮＣＩＭＢ４３１４１の番号で種子が寄託されたＳＢ−１５−１５７７、２０１８年７月１１日にブダペスト条約の下でＮＣＩＭＢ社（スコットランド、アバディーン、バックスバーン、クライブストーン・エステート、ファーガソンビルディング）にＮＣＩＭＢ４３１３９の番号で種子が寄託されたＳＢ−１６−１５９３、２０１８年８月６日にブダペスト条約の下でＮＣＩＭＢ社（スコットランド、アバディーン、バックスバーン、クライブストーン・エステート、ファーガソンビルディング）にＮＣＩＭＢ４３１４２の番号で種子が寄託されたＳＢ−１６−１５９７、２０１８年７月１１日にブダペスト条約の下でＮＣＩＭＢ社（スコットランド、アバディーン、バックスバーン、クライブストーン・エステート、ファーガソンビルディング）にＮＣＩＭＢ４３１３８の番号で種子が寄託されたＳＢ−１５−１５７５、２０１８年８月６日にブダペスト条約の下でＮＣＩＭＢ社（スコットランド、アバディーン、バックスバーン、クライブストーン・エステート、ファーガソンビルディング）にＮＣＩＭＢ４３１４０の番号で種子が寄託されたＳＢ−１５−１５７４、２０１８年６月５日にブダペスト条約の下で韓国タイプカルチャーコレクションにＫＣＴＣ１３５４３ＢＰの番号で種子が寄託されたＳＢ−１５−１５５０、２０１８年６月５日にブダペスト条約の下で韓国タイプカルチャーコレクションにＫＣＴＣ１３５４５ＢＰの番号で種子が寄託されたＳＢ−１５−１５９２、２０１８年７月１１日にブダペスト条約の下でＮＣＩＭＢ社（スコットランド、アバディーン、バックスバーン、クライブストーン・エステート、ファーガソンビルディング）にＮＣＩＭＢ４３０９９の番号で種子が寄託されたＳＢ−１６−１５３９、２０１８年６月５日にブダペスト条約の下で韓国タイプカルチャーコレクションにＫＣＴＣ１３５４７ＢＰの番号で種子が寄託されたＳＢ−１６−１５７６、２０１８年６月５日にブダペスト条約の下でＮＣＩＭＢ社（スコットランド、アバディーン、バックスバーン、クライブストーン・エステート、ファーガソンビルディング）にＮＣＩＭＢ４３０７０の番号で種子が寄託されたＳＢ−１５−１４９６、２０１８年６月５日にブダペスト条約の下でＮＣＩＭＢ社（スコットランド、アバディーン、バックスバーン、クライブストーン・エステート、ファーガソンビルディング）にＮＣＩＭＢ４３０７１の番号で種子が寄託されたＳＢ−１６−１５２８、及び２０１８年６月５日にブダペスト条約の下でＮＣＩＭＢ社（スコットランド、アバディーン、バックスバーン、クライブストーン・エステート、ファーガソンビルディング）にＮＣＩＭＢ４３０７２の番号で種子が寄託されたＳＢ−１６−１５８９、２０１８年７月１１日にブダペスト条約の下でＮＣＩＭＢ社（スコットランド、アバディーン、バックスバーン、クライブストーン・エステート、ファーガソンビルディング）にＮＣＩＭＢ４３０９４の番号で種子が寄託されたＳＢ−１４−１４３４、２０１８年７月１１日にブダペスト条約の下でＮＣＩＭＢ社（スコットランド、アバディーン、バックスバーン、クライブストーン・エステート、ファーガソンビルディング）にＮＣＩＭＢ４３０９７の番号で種子が寄託されたＳＢ−１５−１５１５、２０１８年７月１１日にブダペスト条約の下でＮＣＩＭＢ社（スコットランド、アバディーン、バックスバーン、クライブストーン・エステート、ファーガソンビルディング）にＮＣＩＭＢ４３０９８の番号で種子が寄託されたＳＢ−１５−１５２１、２０１８年７月１１日にブダペスト条約の下でＮＣＩＭＢ社（スコットランド、アバディーン、バックスバーン、クライブストーン・エステート、ファーガソンビルディング）にＮＣＩＭＢ４３１００の番号で種子が寄託されたＳＢ−１６−１５５５、２０１８年７月１１日にブダペスト条約の下でＮＣＩＭＢ社（スコットランド、アバディーン、バックスバーン、クライブストーン・エステート、ファーガソンビルディング）にＮＣＩＭＢ４３１０１の番号で種子が寄託されたＳＢ−１６−１５６２からなる群より選択される。
【００２１】
本発明の幾つかの実施形態の一態様によれば、本明細書に記載される前記植物の一部分が提供される。
【００２２】
本発明の幾つかの実施形態によれば、前記植物の前記一部分は花柄、葉、花粉、胚、子葉、胚軸、成長点、根、根端、雌ずい、葯、花、小花、茎、胚珠、種子、及び葉柄からなる群より選択される。
【００２３】
本発明の幾つかの実施形態の一態様によれば、本明細書に記載される前記植物の花が提供される。
【００２４】
本発明の幾つかの実施形態によれば、前記花は切り花である。
【００２５】
本発明の幾つかの実施形態の一態様によれば、本明細書に記載される前記植物の花粉が提供される。
【００２６】
本発明の幾つかの実施形態の一態様によれば、本明細書に記載される前記植物の種子が提供される。
【００２７】
本発明の幾つかの実施形態の一態様によれば、本明細書に記載される前記植物の胚珠が提供される。
【００２８】
本発明の幾つかの実施形態の一態様によれば、本明細書に記載される前記植物の挿し穂が提供される。
【００２９】
本発明の幾つかの実施形態の一態様によれば、本明細書に記載される前記植物の細胞を含む組織培養物が提供される。
【００３０】
本発明の幾つかの実施形態によれば、前記植物はハイブリッド植物体である。
【００３１】
本発明の幾つかの実施形態によれば、前記植物は自殖植物体である。
【００３２】
本発明の幾つかの実施形態の一態様によれば、
（ａ）低太陽放射条件（reduced solar radiation conditions）を生じさせるための覆いの下でセイヨウマツムシソウ植物体群を栽培すること、及び
（ｂ）同じ発生段階にあり且つ対照栽培条件にある前記セイヨウマツムシソウ植物体群よりも直径、花柄長及び／又は花柄直径が大きい花序を示す植物体を、前記植物体群から選別すること
を含む、本明細書に記載される前記植物を開発する方法が提供される。
【００３３】
本発明の幾つかの実施形態によれば、前記方法は、一つ又は複数の前記植物体を自殖又は交雑させること、並びに、直径、花柄長及び／又は花柄直径がより大きい前記花序について選別することをさらに含む。
【００３４】
本発明の幾つかの実施形態によれば、前記花序の含む舌状花は、同じ発生段階にあり且つ対照栽培条件にある前記セイヨウマツムシソウ植物体群の花序の含む舌状花と比較して、小花数として１０％以上増加している。
【００３５】
本発明の幾つかの実施形態によれば、前記花序の含む管状花は、同じ発生段階にあり且つ対照栽培条件にある前記セイヨウマツムシソウ植物体群の花序の含む管状花と比較して、小花数として１０％以上増加している。
【００３６】
本発明の幾つかの実施形態によれば、前記方法は花柄長及び／又は花柄直径について選別を行うことをさらに含む。
【００３７】
本発明の幾つかの実施形態によれば、前記栽培は２５℃以下の温度の下で行われる。
【００３８】
本発明の幾つかの実施形態によれば、前記栽培は温室又はトンネルの中で行われる。
【００３９】
本発明の幾つかの実施形態によれば、前記温室又はトンネルはポリエテンフィルムで覆われている。
【００４０】
本発明の幾つかの実施形態によれば、前記ポリエチレンシートはイスラエル、Ｇｅｎｉｇａｒ社の「サン・セレクター」ＡＶ  ｔｈｅｒｍａｌ  ＩＲ、Ｃ４００  ＩＲ  ＡＶ  ＤＩＦＦ−１２０ミクロンと実質的に同じ仕様を有する。
【００４１】
本発明の幾つかの実施形態によれば、前記低放射（reduced radiation）は、前記温室又はトンネルを通過する太陽放射のうちのＰＡＲ放射が４０％以上削減されている放射である。
【００４２】
本発明の幾つかの実施形態によれば、前記低放射は、前記温室又はトンネルを通過する太陽放射のうちのＵＶ放射が９０％以上削減されている放射である。
【００４３】
本発明の幾つかの実施形態の一態様によれば、本明細書に記載される前記方法によって得られるセイヨウマツムシソウ植物が提供される。
【００４４】
本発明の幾つかの実施形態の一態様によれば、
（ａ）本明細書に記載されるセイヨウマツムシソウ植物と、該セイヨウマツムシソウ植物とは異なる遺伝的バックグラウンドを有する別の本明細書に記載のセイヨウマツムシソウ植物とを、交雑すること、
（ｂ）前記交雑の後に種子を回収すること、
（ｃ）前記種子を播種し、前記種子を植物体に栽培すること、及び
（ｄ）ハイブリッド植物体を選別すること、
を含む、セイヨウマツムシソウ植物を作製する方法が提供される。
【００４５】
本発明の幾つかの実施形態によれば、前記選別は花序直径に基づいて行われる。
【００４６】
本発明の幾つかの実施形態の一態様によれば、本明細書に記載される前記方法によって作製されるハイブリッド植物体又は前記ハイブリッド植物体の一部分が提供される。
【００４７】
本発明の幾つかの実施形態の一態様によれば、自殖育種及び／又は交雑育種のための育種材料源として本明細書に記載される前記植物又は前記植物の一部分を使用することを含む、植物育種技術を用いて栽培植物を開発する方法が提供される。
【００４８】
本発明の幾つかの実施形態の一態様によれば、寄託された種子の代表的なものであるブダペスト条約の下で韓国タイプカルチャーコレクションにＫＣＴＣ１３５４１ＢＰの番号で種子が寄託されたＳＢ−１５−１４８３、ＳＢ−１５−１４８４、ＳＢ−１５−１５０３、ブダペスト条約の下で韓国タイプカルチャーコレクションにＫＣＴＣ１３５４２ＢＰの番号で種子が寄託されたＳＢ−１５−１５０４、ＳＢ−１５−１５７７、ＳＢ−１５−１５９７、ブダペスト条約の下で韓国タイプカルチャーコレクションにＫＣＴＣ１３５４４ＢＰの番号で種子が寄託されたＳＢ−１５−１５７５、ＳＢ−１５−１５７４、ブダペスト条約の下で韓国タイプカルチャーコレクションにＫＣＴＣ１３５４３ＢＰの番号で種子が寄託されたＳＢ−１５−１５５０、ブダペスト条約の下で韓国タイプカルチャーコレクションにＫＣＴＣ１３５４５ＢＰの番号で種子が寄託されたＳＢ−１５−１５９２、ブダペスト条約の下で韓国タイプカルチャーコレクションにＫＣＴＣ１３５４７ＢＰの番号で種子が寄託されたＳＢ−１５−１５７６、ブダペスト条約の下でＮＣＩＭＢ社（スコットランド、アバディーン、バックスバーン、クライブストーン・エステート、ファーガソンビルディング）にＮＣＩＭＢ４３０７０の番号で種子が寄託されたＳＢ−１５−１４９６、ブダペスト条約の下でＮＣＩＭＢ社（スコットランド、アバディーン、バックスバーン、クライブストーン・エステート、ファーガソンビルディング）にＮＣＩＭＢ４３０７１の番号で種子が寄託されたＳＢ−１５−１５２８、及びブダペスト条約の下でＮＣＩＭＢ社（スコットランド、アバディーン、バックスバーン、クライブストーン・エステート、ファーガソンビルディング）にＮＣＩＭＢ４３０７２の番号で種子が寄託されたＳＢ−１６−１５８９からなる群より選択されるセイヨウマツムシソウ植物が提供される。
【００４９】
別途定義されない限り、本明細書において使用される全ての技術用語及び／又は科学用語は本発明が関係する技術分野の当業者が共通して理解する意味と同じ意味を有する。本明細書に記載される方法及び材料と類似又は等価の方法と材料を本発明の実施形態の実施又は試験に使用することが可能であるが、例となる方法及び／又は材料を、以下に説明する。食い違いがある場合、本特許明細書が、定義を含み、優先される。加えて、本材料、本方法、及び本実施例は例示に過ぎず、必ずしも限定を意図したものではない。
【００５０】
添付されている図面と画像を参照して本発明の幾つかの実施形態をほんの一例として本明細書において説明する。これよりこれらの図面の詳細を具体的に参照することにつき、これより示される細目は例であり、本発明の実施形態を例示的に考察することを目的としたものであることを強調しておく。この点に関し、当業者はこれらの図面を参照して行う説明によって本発明の実施形態がどのように実施可能であるかを理解することになる。
【図面の簡単な説明】
【００５１】
【図１Ａ】本発明の幾つかの実施形態に従って得られる様々な遺伝的バックグラウンドに由来する植物の特徴を示す棒グラフである。
【図１Ｂ】本発明の幾つかの実施形態に従って得られる様々な遺伝的バックグラウンドに由来する植物の特徴を示す棒グラフである。
【図１Ｃ】本発明の幾つかの実施形態に従って得られる様々な遺伝的バックグラウンドに由来する植物の特徴を示す棒グラフである。
【図１Ｄ】本発明の幾つかの実施形態に従って得られる様々な遺伝的バックグラウンドに由来する植物の特徴を示す棒グラフである。
【図１Ｅ】本発明の幾つかの実施形態に従って得られる様々な遺伝的バックグラウンドに由来する植物の特徴を示す棒グラフである。
【図１Ｆ】本発明の幾つかの実施形態に従って得られる様々な遺伝的バックグラウンドに由来する植物の特徴を示す棒グラフである。
【図１Ｇ】本発明の幾つかの実施形態に従って得られる様々な遺伝的バックグラウンドに由来する植物の特徴を示す棒グラフである。
【図１Ｈ】本発明の幾つかの実施形態に従って得られる様々な遺伝的バックグラウンドに由来する植物の特徴を示す棒グラフである。
【図１Ｉ】本発明の幾つかの実施形態に従って得られる様々な遺伝的バックグラウンドに由来する植物の特徴を示す棒グラフである。
【図１Ｊ】本発明の幾つかの実施形態に従って得られる様々な遺伝的バックグラウンドに由来する植物の特徴を示す棒グラフである。
【図１Ｋ】本発明の幾つかの実施形態に従って得られる様々な遺伝的バックグラウンドに由来する植物の特徴を示す棒グラフである。
【図１Ｌ】本発明の幾つかの実施形態に従って得られる様々な遺伝的バックグラウンドに由来する植物の特徴を示す棒グラフである。
【図１Ｍ】本発明の幾つかの実施形態に従って得られる様々な遺伝的バックグラウンドに由来する植物の特徴を示す棒グラフである。
【図１Ｎ】本発明の幾つかの実施形態に従って得られる様々な遺伝的バックグラウンドに由来する植物の特徴を示す棒グラフである。
【図１Ｏ】本発明の幾つかの実施形態に従って得られる様々な遺伝的バックグラウンドに由来する植物の特徴を示す棒グラフである。
【発明を実施するための形態】
【００５２】
本発明は本発明の幾つかの実施形態ではセイヨウマツムシソウ（Ｓ．ａｔｒｏｐｕｒｐｕｒｅａ）植物及び同植物の作製方法に関する。
【００５３】
本発明の少なくとも１つの実施形態を詳しく説明する前に、以下の説明において示されるか又は実施例によって例示される詳細に本発明の適用が必ずしも限定されるものではないことが理解されるべきである。本発明は他の実施形態も可能であり、又は様々な方式で実施若しくは実行可能である。
【００５４】
セイヨウマツムシソウにおいて、特定の花サイズ及び／又は花柄長及び／又は花柄径の形質を他の望ましい多遺伝子性特徴と併せ持たせようとする努力は、極度に時間と手間がかかるものであった。しかしながら、本明細書に記載されるように、本発明者らはこれまでにない花サイズ、花柄長、花柄径、又はそれらの組合せを有するセイヨウマツムシソウ植物を誘導し選別するための新規な方法を考案した。
【００５５】
用語法
以下に続く説明において多くの用語が使用されている。本明細書と特許請求の範囲を明確、且つ、矛盾なく理解するために以下の定義が与えられる。
【００５６】
系統／ゲノム／栽培種／品種は、前記植物に含まれる遺伝子的相補物（genetic compliment）を指すために互換的に使用される。
【００５７】
成熟とは花序が満開であること、すなわち管状花及び舌状花の小花が完全に（最大限に）開いているときを指す。花序はこの種では花と呼ばれる場合もあり、その花は舌状花と管状花から構成される。本明細書において提供される全ての測定値は完全成熟時の測定値である。
【００５８】
花序とは単一の花柄上の小花（舌状花及び管状花）の集合体を指す。
【００５９】
戻し交雑とは育種家がハイブリッド子孫、例えば第１世代ハイブリッド（Ｆ１）をそのハイブリッド子孫の親のうちの一方に繰り返し交雑する過程のことである。戻し交雑は１つの遺伝的バックグラウンドから別の遺伝的バックグラウンドへ１又は複数の単一座位変換を導入するために用いられ得る。
【００６０】
交雑とは２つの親植物体を掛け合わせることである。
【００６１】
異花受粉とは異なる植物体（遺伝的バックグラウンドが異なる）由来の２つの配偶子の合同による受粉のことである。
【００６２】
自家受粉とは同じ植物体の葯から柱頭への花粉の伝達のことである。
【００６３】
ハイブリッドとは２つの非同質遺伝子型の植物体の交雑の子孫のことである。
【００６４】
遺伝子型とは細胞又は生物の遺伝的構成のことである。
【００６５】
表現型とは細胞又は生物の検出可能な特徴のことであり、それらの特徴は遺伝子発現が現れたものである。
【００６６】
系統育種とは選択した既存の品種の最良の特質を組み合わせている完全に新しい品種の植物を作製するために使用される育種技術のことである。
【００６７】
草高とは地面の一番高い所から植物の一番高い節までで測定される高さであり、センチメートル単位で測定される。
【００６８】
実質的に等価とは比較したときに平均値からの統計学的有意差（例えば、ｐ＝０．０５）を示さない特徴のことである。
【００６９】
したがって、本発明の一態様によれば、花序直径が７ｃｍを超えるセイヨウマツムシソウ植物が提供される。
【００７０】
本発明の一態様によれば、花柄長が６０ｃｍを超えるセイヨウマツムシソウ植物が提供される。
【００７１】
本発明の一態様によれば、花柄直径が５ｍｍを超えるセイヨウマツムシソウ植物が提供される。
【００７２】
本発明の一態様によれば、花柄長が６０ｃｍを超え、花柄直径が５ｍｍを超えるセイヨウマツムシソウ植物が提供される。
【００７３】
本明細書において使用される場合、「セイヨウマツムシソウ」（時に単純化して「マツムシソウ」と呼ぶが、セイヨウイトバマツムシソウなどの他のマツムシソウ属の種と混同されてはならない）はスイカズラ科内のマツムシソウ属の花卉であるモーニングブライド又はスウィートスカビオサも指す。
【００７４】
前記植物はどの色の植物であってもよい。例には白色（１５５Ａ−１５５ＮＮＤ、１５７Ａ−１５９Ｄ）、黄色（１６０Ａ−１６３Ａ、１Ａ−１１−Ｄ）、オレンジ色（１２Ａ−２９Ｄ）、ピンク色（５７ＮＡ−６９Ｄ、７３Ａ−７４ＮＤ）、赤色（３３Ａ−３４Ｎ、４０Ａ−５６Ｄ、５７ＮＡ−６９Ｄ）、紫色（７０Ａ−７４ＮＤ）、ラベンダー色（７５Ａ−９２ＮＡ）、又は緑色（１５４Ａ−１２４Ａ、例えばＳＢ−１７−１６３５）が含まれるがこれらに限定されない。
【００７５】
本明細書において使用される場合、「植物」という言葉は植物全体又は植物の一部分を指す。
【００７６】
特定の実施形態によれば、前記植物はハイブリッド植物体（例えば、ハイブリッド種子）である。
【００７７】
特定の実施形態によれば、前記植物は自殖植物体（例えば、自殖種子）である。
【００７８】
「植物部分」という言葉は植物体を（再）生成することができる単離された植物細胞又は単離された植物部分（組織）を指し、それらには植物プロトプラスト、植物カルス、植物塊、並びに植物体、又は花柄、種子、葉、茎、花粉、根、根端、葯、胚珠、花弁、花、小花、実生、胚、及び丸莢などの植物体部分の中で完全体である植物細胞が含まれる。
【００７９】
特定の実施形態によれば、前記植物部分は花である。
【００８０】
特定の実施形態によれば、前記花は切り花である。
【００８１】
特定の実施形態によれば、前記植物部分は花粉である。
【００８２】
特定の実施形態によれば、前記植物部分は胚珠である。
【００８３】
特定の実施形態によれば、前記植物部分は種子である。
【００８４】
挿し穂（例えば、根が付いた挿し穂、又は根が付いていない挿し穂）も提供される。
【００８５】
前記植物は、本明細書において以下に記載されるような低放射条件下で（直径が７ｃｍを超える）大きな花序を発生する能力を有する限り、いずれのセイヨウマツムシソウ品種の植物であってもよい。
【００８６】
本発明の幾つかの実施形態の植物を開発するために使用可能なセイヨウマツムシソウ品種は市販の品種、例えばイスラエルのＤａｎｚｉｇｅｒ  Ｄａｎ  Ｆｌｏｗｅｒ  Ｆａｒｍにより開発されたスクープシリーズである。
【００８７】
本明細書においては種子品種及び挿し穂品種が想定されている。
【００８８】
具体例にはチェリーバニラスクープ（商標）、ブラックベリースクープ（商標）、マシュマロスクープ（商標）、又はバニラスクープ（商標）が含まれるが、これらに限定されない。
【００８９】
その他の例にはＨｉｌｌｖｅｒｄａによるマツムシソウ（シリーズ名不明）、並びに種子品種、例えばインペリアルジャイアント（商標）、ブルーコケイド（商標）、ブラックナイト（商標）、スノーメイデン（商標）、オックスフォードブルー（商標）、ボジョレーボネット（商標）、トールダブル（商標）シリーズ、バーガンディービュー（商標）、ＱＩＳ（商標）シリーズ、サーモンクイーン（商標）が含まれるが、これらに限定されない。
【００９０】
上述のように、幾つかの実施形態によれば、前記植物は花序直径が７ｃｍを超える。このような表現型は環境により誘起される、又は遺伝によるものであり得る。両方のパラメーターが本明細書において想定されている。
【００９１】
幾つかの実施形態によれば、前記花序測定値として言及されるのは、第１開花花序（花）のものである。当業者に知られているように、マツムシソウが連続的な開花習性（約３〜６か月）を特徴とすることは理解されよう。本発明の幾つかの実施形態の前記植物が、低放射条件下で選別されないそれらの植物の親よりも長い連続的な開花期間を特徴とすることも、さらに理解されよう。
【００９２】
花序直径は、定規又はカリパス測定器を使用して視覚的に決定され得る。
【００９３】
本明細書において提示される数は、植物体当たり、花序当たり、又は同じ系統の植物集団当たりの平均値である。
【００９４】
上述のように、前記植物の花序直径は７ｃｍを超える。
【００９５】
特定の実施形態によれば、前記花序直径は７．１〜１０ｃｍの間である。
特定の実施形態によれば、前記花序直径は７．１〜９．８ｃｍの間である。
特定の実施形態によれば、前記花序直径は７．５〜１０ｃｍの間である。
特定の実施形態によれば、前記花序直径は７．５〜９．５ｃｍの間である。
特定の実施形態によれば、前記花序直径は８〜１０ｃｍの間である。
特定の実施形態によれば、前記花序直径は８〜９ｃｍの間である。
特定の実施形態によれば、前記花序直径は８．３〜１０ｃｍの間である。
特定の実施形態によれば、前記花序直径は８〜９．５ｃｍの間である。
特定の実施形態によれば、前記花序直径は７．３ｃｍを超える。
特定の実施形態によれば、前記花序直径は７．５ｃｍを超える。
特定の実施形態によれば、前記花序直径は７．８ｃｍを超える。
特定の実施形態によれば、前記花序直径は８ｃｍを超える。
特定の実施形態によれば、前記花序直径は８．２ｃｍを超える。
特定の実施形態によれば、前記花序直径は８．５ｃｍを超える。
特定の実施形態によれば、前記花序直径は８．７ｃｍを超える。
特定の実施形態によれば、前記花序直径は８．９ｃｍを超える。
【００９６】
特定の実施形態によれば、成長期にある前記植物の花序の少なくとも１０％（例えば、少なくとも１５％、少なくとも３０％例えば、少なくとも４０％、例えば少なくとも５０％）が７ｃｍを超える直径を特徴とする。
【００９７】
特定の実施形態によれば、前記花序は前記植物上の第１花序を指す。
【００９８】
特定の実施形態によれば、前記花序は生じた最初の５つの花序を指す。
【００９９】
本発明の前記植物は野外で（選別のない自然放射条件下で）栽培された親とほぼ同じ花柄長及び／又は花柄直径を有しても変わった長さ及び／又は太さを有してもよい。大輪の花にとって大きくなった花柄、すなわち長さと直径が親と比較して増加することは前記花序を直立させることに有利であり得ることを理解されたい。
【０１００】
したがって、一実施形態によれば、前記植物は６０ｃｍを超える花柄長を特徴とする。
【０１０１】
特定の実施形態によれば、前記植物の花柄長は６１〜９５ｃｍである。
特定の実施形態によれば、前記植物の花柄長は６１〜９０ｃｍである。
特定の実施形態によれば、前記植物の花柄長は６１〜８０ｃｍである。
特定の実施形態によれば、前記植物の花柄長は６１〜７０ｃｍである。
特定の実施形態によれば、前記植物の花柄長は６５〜９０ｃｍである。
【０１０２】
追加的又は代替的実施形態によれば、前記植物の花柄直径は５ｍｍ超である。
特定の実施形態によれば、前記植物の花柄直径は５．１〜１０ｍｍである。
特定の実施形態によれば、前記植物の花柄直径は５．１〜９．５ｍｍである。
特定の実施形態によれば、前記植物の花柄直径は５．１〜９ｍｍである。
特定の実施形態によれば、前記植物の花柄直径は５．１〜８ｍｍである。
特定の実施形態によれば、前記植物の花柄直径は５．１〜７ｍｍである。
特定の実施形態によれば、前記植物の花柄直径は５．１〜６ｍｍである。
【０１０３】
特定の実施形態によれば、前記植物は前記植物の祖先の花柄長及び花柄直径、例えば６０ｃｍ以下の花柄長及び５ｍｍ以下の花柄直径を有する。
【０１０４】
特定の実施形態によれば、前記植物の花柄長は４５〜６０ｃｍである。
特定の実施形態によれば、前記植物の花柄長は５５〜８０ｃｍである。
特定の実施形態によれば、前記植物の花柄長は５０〜７５ｃｍである。
特定の実施形態によれば、前記植物の花柄長は５５〜７０ｃｍである。
【０１０５】
特定の実施形態によれば、前記花序は少なくとも９０片の小花を有する管状花を含む。
特定の実施形態によれば、前記花序は少なくとも１００片の小花を有する管状花を含む。
特定の実施形態によれば、前記花序は少なくとも１１０片の小花を有する管状花を含む。
特定の実施形態によれば、前記花序は少なくとも１２０片の小花を有する管状花を含む。
特定の実施形態によれば、前記花序は少なくとも１３０片の小花を有する管状花を含む。
特定の実施形態によれば、前記花序は少なくとも１４０片の小花を有する管状花を含む。
特定の実施形態によれば、前記花序は少なくとも１５０片の小花を有する管状花を含む。
特定の実施形態によれば、前記花序は少なくとも１６０片の小花を有する管状花を含む。
特定の実施形態によれば、前記花序は少なくとも１７０片の小花を有する管状花を含む。
特定の実施形態によれば、前記花序は少なくとも１８０片の小花を有する管状花を含む。
特定の実施形態によれば、前記花序は少なくとも１９０片の小花を有する管状花を含む。
特定の実施形態によれば、前記花序は少なくとも２００片の小花を有する管状花を含む。
特定の実施形態によれば、前記花序は少なくとも２１０片の小花を有する管状花を含む。
特定の実施形態によれば、前記花序は少なくとも２２０片の小花を有する管状花を含む。
【０１０６】
特定の実施形態によれば、前記花序は少なくとも３３片の小花を有する舌状花を含む。
特定の実施形態によれば、前記花序は少なくとも３５片の小花を有する舌状花を含む。
特定の実施形態によれば、前記花序は少なくとも４０片の小花を有する舌状花を含む。
特定の実施形態によれば、前記花序は少なくとも４５片の小花を有する舌状花を含む。
特定の実施形態によれば、前記花序は少なくとも５０片の小花を有する舌状花を含む。
特定の実施形態によれば、前記花序は少なくとも５５片の小花を有する舌状花を含む。
【０１０７】
特定の実施形態によれば、前記花序の含む舌状花は、同じ発生段階にあり且つ対照栽培条件にある前記親の花序の含む舌状花と比較して、小花数として５％以上増加している。
【０１０８】
本明細書において使用される場合、「対照栽培条件」とは、太陽光透過の遮断と太陽光の選別が無いこと以外は、本明細書に記載される条件と同じ無生物条件と生物条件とを備える条件の下における栽培をいう。
【０１０９】
特定の実施形態によれば、前記花序の含む舌状花は、同じ発生段階にあり且つ対照栽培条件にある前記親の花序の含む舌状花と比較して、小花数として１０％以上増加している。
特定の実施形態によれば、前記花序の含む舌状花は、同じ発生段階にあり且つ対照栽培条件にある前記親の花序の含む舌状花と比較して、小花数として１５％以上増加している。
特定の実施形態によれば、前記花序の含む舌状花は、同じ発生段階にあり且つ対照栽培条件にある前記親の花序の含む舌状花と比較して、小花数として２０％以上増加している。
特定の実施形態によれば、前記花序の含む舌状花は、同じ発生段階にあり且つ対照栽培条件にある前記親の花序の含む舌状花と比較して、小花数として２５％以上増加している。
特定の実施形態によれば、前記花序の含む舌状花は、同じ発生段階にあり且つ対照栽培条件にある前記親の花序の含む舌状花と比較して、小花数として３０％以上増加している。
特定の実施形態によれば、前記花序の含む舌状花は、同じ発生段階にあり且つ対照栽培条件にある前記親の花序の含む舌状花と比較して、小花数として４０％以上増加している。
特定の実施形態によれば、前記花序の含む舌状花は、同じ発生段階にあり且つ対照栽培条件にある前記親の花序の含む舌状花と比較して、小花数として５０％以上増加している。
特定の実施形態によれば、前記花序の含む舌状花は、同じ発生段階にあり且つ対照栽培条件にある前記親の花序の含む舌状花と比較して、小花数として６０％以上増加している。
特定の実施形態によれば、前記花序の含む舌状花は、同じ発生段階にあり且つ対照栽培条件にある前記親の花序の含む舌状花と比較して、小花数として７０％以上増加している。
特定の実施形態によれば、前記花序の含む舌状花は、同じ発生段階にあり且つ対照栽培条件にある前記親の花序の含む舌状花と比較して、小花数として８０％以上増加している。
特定の実施形態によれば、前記花序の含む舌状花は、同じ発生段階にあり且つ対照栽培条件にある前記親の花序の含む舌状花と比較して、小花数として９０％以上増加している。
特定の実施形態によれば、前記花序の含む舌状花は、同じ発生段階にあり且つ対照栽培条件にある前記親の花序の含む舌状花と比較して、小花数として１００％以上増加している。
【０１１０】
本明細書において使用される場合、「対照栽培条件」とは、自然光／自然太陽放射下である、例えばポリエテンシートで覆われない、ということだけの同一の条件を意味する。
【０１１１】
特定の実施形態によれば、前記花序の含む管状花は、同じ発生段階にあり且つ対照栽培条件にある前記親の花序の含む管状花と比較して、小花数として５％以上増加している。
特定の実施形態によれば、前記花序の含む管状花は、同じ発生段階にあり且つ対照栽培条件にある前記親の花序の含む管状花と比較して、小花数として５％以上増加している。
特定の実施形態によれば、前記花序の含む管状花は、同じ発生段階にあり且つ対照栽培条件にある前記親の花序の含む管状花と比較して、小花数として１０％以上増加している。
特定の実施形態によれば、前記花序の含む管状花は、同じ発生段階にあり且つ対照栽培条件にある前記親の花序の含む管状花と比較して、小花数として２０％以上増加している。
特定の実施形態によれば、前記花序の含む管状花は、同じ発生段階にあり且つ対照栽培条件にある前記親の花序の含む管状花と比較して、小花数として３０％以上増加している。
特定の実施形態によれば、前記花序の含む管状花は、同じ発生段階にあり且つ対照栽培条件にある前記親の花序の含む管状花と比較して、小花数として４０％以上増加している。
特定の実施形態によれば、前記花序の含む管状花は、同じ発生段階にあり且つ対照栽培条件にある前記親の花序の含む管状花と比較して、小花数として５０％以上増加している。
特定の実施形態によれば、前記花序の含む管状花は、同じ発生段階にあり且つ対照栽培条件にある前記親の花序の含む管状花と比較して、小花数として６０％以上増加している。
特定の実施形態によれば、前記花序の含む管状花は、同じ発生段階にあり且つ対照栽培条件にある前記親の花序の含む管状花と比較して、小花数として７０％以上増加している。
特定の実施形態によれば、前記花序の含む管状花は、同じ発生段階にあり且つ対照栽培条件にある前記親の花序の含む管状花と比較して、小花数として８０％以上増加している。
特定の実施形態によれば、前記花序の含む管状花は、同じ発生段階にあり且つ対照栽培条件にある前記親の花序の含む管状花と比較して、小花数として９０％以上増加している。
特定の実施形態によれば、前記花序の含む管状花は、同じ発生段階にあり且つ対照栽培条件にある前記親の花序の含む管状花と比較して、小花数として１００％以上増加している。
【０１１２】
特定の実施形態によれば、前記花序の含む管状花は、同じ発生段階にあり且つ対照栽培条件にある前記親の花序の含む管状花と比較して、小花数として１１０％以上増加している。
特定の実施形態によれば、前記花序の含む管状花は、同じ発生段階にあり且つ対照栽培条件にある前記親の花序の含む管状花と比較して、小花数として１２０％以上増加している。
特定の実施形態によれば、前記花序の含む管状花は、同じ発生段階にあり且つ対照栽培条件にある前記親の花序の含む管状花と比較して、小花数として１３０％以上増加している。
特定の実施形態によれば、前記花序の含む管状花は、同じ発生段階にあり且つ対照栽培条件にある前記親の花序の含む管状花と比較して、小花数として１５０％以上増加している。
特定の実施形態によれば、前記花序の含む管状花は、同じ発生段階にあり且つ対照栽培条件にある前記親の花序の含む管状花と比較して、小花数として１７０％以上増加している。
特定の実施形態によれば、前記花序の含む管状花は、同じ発生段階にあり且つ対照栽培条件にある前記親の花序の含む管状花と比較して、小花数として１９０％以上増加している。
特定の実施形態によれば、前記花序の含む管状花は、同じ発生段階にあり且つ対照栽培条件にある前記親の花序の含む管状花と比較して、小花数として２２０％以上増加している。
特定の実施形態によれば、前記花序の含む管状花は、同じ発生段階にあり且つ対照栽培条件にある前記親の花序の含む管状花と比較して、小花数として２４０％以上増加している。
特定の実施形態によれば、前記花序の含む管状花は、同じ発生段階にあり且つ対照栽培条件にある前記親の花序の含む管状花と比較して、小花数として２６０％以上増加している。
特定の実施形態によれば、前記花序の含む管状花は、同じ発生段階にあり且つ対照栽培条件にある前記親の花序の含む管状花と比較して、小花数として２８０％以上増加している。
特定の実施形態によれば、前記花序の含む管状花は、同じ発生段階にあり且つ対照栽培条件にある前記親の花序の含む管状花と比較して、小花数として３００％以上増加している。
【０１１３】
特定の実施形態によれば、前記花序の含む管状花及び舌状花は、同じ発生段階にあり且つ対照栽培条件にある前記親の花序の含む管状花及び舌状花よりも小花数として多い。
【０１１４】
特定の実施形態によれば、前記花序は２３ｍｍ以上の長さの舌状花と１２ｍｍ以上の長さの管状花とを含む。
【０１１５】
特定の実施形態によれば、前記管状花及び前記舌状花の寸法は、同じ発生段階にあり且つ、対照栽培条件にある前記親の管状花及び舌状花の寸法と同じである。
【０１１６】
特定の実施形態によれば、前記花序は花床苞葉（鱗片）が存在するため緑色である（本明細書に記載される低太陽放射下で栽培／選別されない前記親よりも小片の小花により長い花床苞葉が付随する）。例となる系統はＳＢ−１７−１６３５である。
【０１１７】
特定の実施形態によれば、前記花序の管状花の小花開花は前記花序の舌状花の小花開花の２〜３日後（例えば、３日後）に起こる。このような花序はひしゃく様（scoop-like）の外観を有しており、且つ、典型的には本明細書に記載される低太陽放射下で栽培／選別されない前記親の花序を特色としている。
【０１１８】
別の特定の実施形態によれば、前記花序の管状花の小花開花と前記花序の舌状花の小花開花は同時に起こる（すなわち、４８時間未満の開花間隔で起こる）。
【０１１９】
ボール形状を特徴とする例となる系統にはＳＢ−１６−１５３９及びＳＢ−１６−１５８９が含まれるが、これらに限定されない。
【０１２０】
このような花序はボール様の外観を有し、したがって「満開（full-flower）」又は「ボール形状（ball shape）」とも呼ばれる。
【０１２１】
花序直径が７ｃｍ超である植物品種としては例えば、２０１８年６月５日にブダペスト条約の下で韓国タイプカルチャーコレクションにＫＣＴＣ１３５４１ＢＰの番号で種子が寄託されたＳＢ−１５−１４８３、２０１８年７月１１日にブダペスト条約の下でＮＣＩＭＢ社（スコットランド、アバディーン、バックスバーン、クライブストーン・エステート、ファーガソンビルディング）にＮＣＩＭＢ４３０９５の番号で種子が寄託されたＳＢ−１５−１４８４、２０１８年７月１１日にブダペスト条約の下でＮＣＩＭＢ社（スコットランド、アバディーン、バックスバーン、クライブストーン・エステート、ファーガソンビルディング）にＮＣＩＭＢ４３０９６の番号で種子が寄託されたＳＢ−１５−１５０３、２０１８年６月５日にブダペスト条約の下で韓国タイプカルチャーコレクションにＫＣＴＣ１３５４２ＢＰの番号で種子が寄託されたＳＢ−１５−１５０４、２０１８年８月６日にブダペスト条約の下でＮＣＩＭＢ社（スコットランド、アバディーン、バックスバーン、クライブストーン・エステート、ファーガソンビルディング）にＮＣＩＭＢ４３１４１の番号で種子が寄託されたＳＢ−１５−１５７７、２０１８年７月１１日にブダペスト条約の下でＮＣＩＭＢ社（スコットランド、アバディーン、バックスバーン、クライブストーン・エステート、ファーガソンビルディング）にＮＣＩＭＢ４３１３９の番号で種子が寄託されたＳＢ−１６−１５９３、２０１８年８月６日にブダペスト条約の下でＮＣＩＭＢ社（スコットランド、アバディーン、バックスバーン、クライブストーン・エステート、ファーガソンビルディング）にＮＣＩＭＢ４３１４２の番号で種子が寄託されたＳＢ−１６−１５９７、２０１８年７月１１日にブダペスト条約の下でＮＣＩＭＢ社（スコットランド、アバディーン、バックスバーン、クライブストーン・エステート、ファーガソンビルディング）にＮＣＩＭＢ４３１３８の番号で種子が寄託されたＳＢ−１５−１５７５、２０１８年８月６日にブダペスト条約の下でＮＣＩＭＢ社（スコットランド、アバディーン、バックスバーン、クライブストーン・エステート、ファーガソンビルディング）にＮＣＩＭＢ４３１４０の番号で種子が寄託されたＳＢ−１５−１５７４、２０１８年６月５日にブダペスト条約の下で韓国タイプカルチャーコレクションにＫＣＴＣ１３５４３ＢＰの番号で種子が寄託されたＳＢ−１５−１５５０、２０１８年６月５日にブダペスト条約の下で韓国タイプカルチャーコレクションにＫＣＴＣ１３５４５ＢＰの番号で種子が寄託されたＳＢ−１５−１５９２、２０１８年７月１１日にブダペスト条約の下でＮＣＩＭＢ社（スコットランド、アバディーン、バックスバーン、クライブストーン・エステート、ファーガソンビルディング）にＮＣＩＭＢ４３０９９の番号で種子が寄託されたＳＢ−１６−１５３９、２０１８年６月５日にブダペスト条約の下で韓国タイプカルチャーコレクションにＫＣＴＣ１３５４７ＢＰの番号で種子が寄託されたＳＢ−１６−１５７６、２０１８年６月５日にブダペスト条約の下でＮＣＩＭＢ社（スコットランド、アバディーン、バックスバーン、クライブストーン・エステート、ファーガソンビルディング）にＮＣＩＭＢ４３０７０の番号で種子が寄託されたＳＢ−１５−１４９６、２０１８年６月５日にブダペスト条約の下でＮＣＩＭＢ社（スコットランド、アバディーン、バックスバーン、クライブストーン・エステート、ファーガソンビルディング）にＮＣＩＭＢ４３０７１の番号で種子が寄託されたＳＢ−１６−１５２８、２０１８年７月１１日にブダペスト条約の下でＮＣＩＭＢ社（スコットランド、アバディーン、バックスバーン、クライブストーン・エステート、ファーガソンビルディング）にＮＣＩＭＢ４３０９７の番号で種子が寄託されたＳＢ−１５−１５１５、２０１８年７月１１日にブダペスト条約の下でＮＣＩＭＢ社（スコットランド、アバディーン、バックスバーン、クライブストーン・エステート、ファーガソンビルディング）にＮＣＩＭＢ４３１００の番号で種子が寄託されたＳＢ−１６−１５５５、２０１８年７月１１日にブダペスト条約の下でＮＣＩＭＢ社（スコットランド、アバディーン、バックスバーン、クライブストーン・エステート、ファーガソンビルディング）にＮＣＩＭＢ４３１０１の番号で種子が寄託されたＳＢ−１６−１５６２からなる群より選択される。
【０１２２】
（ａ）低太陽放射条件を生じさせるための覆いの下でセイヨウマツムシソウ植物体群を栽培すること、及び
（ｂ）同じ発生段階にあり且つ対照栽培条件にある前記セイヨウマツムシソウ植物体群よりも直径、花柄長及び／又は花柄直径が大きい花序を示す植物体を、前記植物体群から選別すること
を含む、本明細書に記載されるセイヨウマツムシソウ植物を開発する方法が提供される。
【０１２３】
本発明の特定の実施形態によれば、前記方法は、一つ又は複数の前記植物体を自殖又は交雑させること、並びに、直径、花柄長及び／又は花柄直径がより大きい前記花序について選別することをさらに含む。
【０１２４】
切り花用のマツムシソウ品種は開花期間の始まりから始まって３〜６か月にわたって（期間は気候に依存する）連続的に収穫される。
【０１２５】
開花期間にマツムシソウ植物がつける１番目の花は、最大の花である傾向があり、また開花期の後の時期と比較して花柄が最長及び最厚であることを特徴とする。１つの花柄を収穫するとその下の２つの休止状態のつぼみに開花が誘導されることがこのことの理由である。これによりその植物体が担持する活動状態のつぼみと花が開花期を通じて対数関数的に増加することになる。この増加の結果として花と花柄の形態が変化することがあり、開花期が進むにつれそれぞれ花柄がより短く、且つ、より細くなり、花がより小さくなる。
【０１２６】
本明細書において使用される場合、「低太陽放射条件（reduced solar radiation conditions）」とは、太陽放射を低下させることを目的としたフィルム掛け又は他のいかなる人為的な手段も用いない同条件下での太陽放射と比較して低下した太陽放射のことである。
【０１２７】
したがって、幾つかの実施形態によれば、前記植物はトンネル（例えば、低トンネル）又は温室内で栽培される。
【０１２８】
マツムシソウの園芸栽培は充分に当業者の技術範囲内である。したがって、標準的な温度及び灌水管理計画の下で、フィルムカバーの下で栽培することから生じる必要な変更を行って、前記植物が栽培される。
【０１２９】
特定の実施形態によれば、栽培は２５℃を超えない温度の下で行われる。
【０１３０】
特定の実施形態によれば、前記植物は露地、鉢、又は花壇に播種又は移植される。例えば前記種子はプランターに播種され、プラグに移植され、その後で土に移植される。
【０１３１】
幾つかの実施形態によれば、播種された種子又は小植物は合成フィルム、例えばプラスチックフィルムで被覆される。
【０１３２】
特定の実施形態によれば、カバーは前記植物の存続期間を通して掛けられる。別の実施形態によれば、カバーは開花誘導期の間だけ掛けられる。
【０１３３】
別の実施形態によれば、カバーは少なくとも開花誘導期の間に掛けられる。
【０１３４】
特定の実施形態によれば、本明細書に記載される低放射条件は栽培者への指示の一部分である。
【０１３５】
フィルムカバーは（セイヨウマツムシソウの栽培にはこれまで使用されていなかったが）作物栽培に広く使用されている。フィルムのサイズは構造物の種類と寸法に左右される。
【０１３６】
特定の実施形態によれば、フィルムは最大で幅が１６メートルであり、厚さが１２０μｍであることが典型的である。
【０１３７】
特定の実施形態によれば、前記フィルムには所望の温度特性、光学特性、及び機械的特性を有するものが選択される。前記フィルムは防滴性、防塵性、抗ウイルス性、防霧性、及び／又は防曇性などの追加的特性を有してもよい。
【０１３８】
太陽放射線は０．２〜２．５μｍの範囲のスペクトルに及ぶ電磁波の形で太陽から生じる放射線である。特に太陽放射線はＵＶ線部分、可視光（Ｖｉｓ）部分、及び赤外線（ＩＲ）部分から構成される。
【０１３９】
特定の実施形態によれば、前記フィルムはＵＶ−Ａを遮断すること（例えば、完全遮断、１００％）を特徴とする。
【０１４０】
特定の実施形態によれば、前記フィルムはＵＶ−Ａ及びＵＶ−Ｂを遮断することを特徴とする。
【０１４１】
特定の実施形態によれば、前記フィルムはＵＶ放射の完全（１００％）カットを特徴とするか、又は前記フィルムは部分的に（５０％以上、５０〜１００％、７０〜１００％、８０〜１００％、９０〜１００％）透過性である。
【０１４２】
特定の実施形態によれば、前記低放射条件はＵＶ（３００〜３８０ｎｍ）の無透過とＰＡＲ（４００〜７００ｎｍ）の９０％の拡散透過を含む。
【０１４３】
植物の生育と発生を支援する光をなお透過させるシート（フィルム）を選択するために測定値を採る。光の測定は分光光度計を用いて実施され得る。
【０１４４】
前記植物に対する光エネルギーの効果を妨げると、前記カバーは光選択性であると考えられる。
【０１４５】
特定の実施形態によれば、前記温室又はトンネルはポリエテンフィルムで覆われている。
【０１４６】
特定の実施形態によれば、前記ポリエテンシートはイスラエル、Ｇｅｎｉｇａｒ社の「サン・セレクター」ＡＶ  ｔｈｅｒｍａｌ  ＩＲ、Ｃ４００  ＩＲ  ＡＶ  ＤＩＦＦ−１２０ミクロンと実質的に同じ仕様を有する。
【０１４７】
特定の実施形態によれば、前記低放射（reduced radiation）は、前記温室を通過する太陽放射の４０％以上が削減されたものである。
【０１４８】
所望の花序を有する植物体が得られれば、その植物体を自殖又は交雑させること、並びに、花序直径、花柄長及び／又は花柄直径がより大きいものを選別するができる。このことが後代における表現型の安定化に役立ち、表現型を改良する（花序を増加させる）場合がある。
【０１４９】
従って、一実施形態によれば、本明細書に記載される前記方法に従って得られるセイヨウマツムシソウ植物が提供される。
【０１５０】
（ａ）本明細書に記載される花序を有するセイヨウマツムシソウ植物と、該セイヨウマツムシソウ植物とは異なる遺伝的バックグラウンドを有する別の本明細書に記載のセイヨウマツムシソウ植物とを、交雑すること；
（ｂ）前記交雑の後に種子を回収すること；
（ｃ）前記種子を播種し、前記種子を植物体に栽培すること；及び
（ｄ）ハイブリッド植物体を選別すること
を含む、セイヨウマツムシソウ植物を作製する方法が提供される。
【０１５１】
特定の実施形態によれば、前記選別は花序直径並びに／又は花柄長及び花柄直径に基づいて行われる。
【０１５２】
特定の実施形態によれば、前記選別は花序直径に基づいて行われる。
【０１５３】
本明細書に記載される前記方法によって作製されるハイブリッド植物体又は前記ハイブリッド植物体の一部分も提供される。
【０１５４】
本発明の一態様によれば、自殖育種及び／又は交雑育種のための育種材料源として本明細書に記載される前記植物又は前記植物の一部分を使用することを含む、植物育種技術を用いて栽培植物を開発する方法が提供される。
【０１５５】
本発明の前記植物の種子が播種される場合があり、したがって本発明は播種された畑も包する。本発明の前記植物の栄養体を植え付けてもよい。したがって本発明は栄養体が植え付けられた畑又は鉢植えの植物体も包含する。
【０１５６】
前記挿し穂は前記挿し穂を入れる容器（栽培セル、プラグ等）の中に配置される場合があり、したがって本発明は前記挿し穂を含む保持容器も包含する。前記挿し穂は根が付いていても付いていなくてもよい。
【０１５７】
前記切り花は前記切り花を入れる容器（花瓶、バケツ、又は手桶、又は別の保持用具等）の中に配置される場合があり、したがって本発明は前記挿し穂を含む保持容器も包含する。
【０１５８】
本発明の前記植物は単独種類又は複数種の組合せ（当技術分野においてコンボ、ミキシーズ（商標）、トリキシーズ（商標）等とも呼ばれる）の展示のために（少なくとも１つの生育特徴、例えば、根付くまでの時間、生長速度等を有する）他の植物種と共に一容器の中に根付かされ、栽培され、又は保持される場合がある。このような構成は例えば全体を参照により本明細書に援用する米国特許第８１３６２９４号明細書において教示されている。
【０１５９】
本出願から特許登録までの間に多くの関連のセイヨウマツムシソウが開発されることが予想され、セイヨウマツムシソウという用語の範囲には先験的に全てのこのような新技術が内包されるものとする。
【０１６０】
本明細書において使用される場合、「約」という言葉はプラスマイナス１０％を指す。
【０１６１】
「含む（ｃｏｍｐｒｉｓｅｓ）」という言葉、「含む（ｃｏｍｐｒｉｓｉｎｇ）」という言葉、「含む（ｉｎｃｌｕｄｅｓ）」という言葉、「含む（ｉｎｃｌｕｄｉｎｇ）」という言葉、「有する（ｈａｖｉｎｇ）」という言葉、及びそれらの言葉の活用形は「含むが限定されない（ｉｎｃｌｕｄｉｎｇ  ｂｕｔ  ｎｏｔ  ｌｉｍｉｔｅｄ  ｔｏ）」という意味である。
【０１６２】
「から成る」という言葉は「含み、且つ、限定される」という意味である。
【０１６３】
「から基本的に成る」という言葉は、特許請求される組成物、方法、又は構造の基本的、且つ、新規の特徴が追加の成分、工程、及び／又は部分によって実質的に変更することが無い場合にのみそれらの追加の成分、工程、及び／又は部分が前記組成物、方法、又は構造に含まれ得ることを意味する。
【０１６４】
本明細書において使用される場合、「ａ」、「ａｎ」、及び「ｔｈｅ」が付く単数形のものには文脈から明確に別段の指示がない限り複数形の参照物が含まれる。例えば、「一化合物」又は「少なくとも１つの化合物」という言葉は複数の化合物の混合物を含む複数の化合物を含み得る。
【０１６５】
本願書を通して本発明の様々な実施形態が範囲形式で提示される場合がある。範囲形式の記述は単に簡便簡潔に説明するためであり、本発明の範囲に対する確固とした限定として解釈されるべきではないことを理解されたい。したがって、範囲の記載には具体的に開示される全ての可能な部分範囲、並びにその範囲内の個々の数値が含まれると考えられるべきである。例えば、１〜６までなどの範囲の記載には１〜３まで、１〜４まで、１〜５まで、２〜４まで、２〜６まで、３〜６まで等の具体的に開示される部分範囲、並びにその範囲内の個々の数、例えば１、２、３、４、５、及び６が含まれると考えられるべきである。このことは範囲の幅に関係なく当てはまる。
【０１６６】
本明細書において数値範囲が示されるときはいつでも、その数値範囲は、その表示範囲内のあらゆる引用される数（分数又は整数）を含むことが意図されている。第１表示数と第２表示数との「間を範囲とする」という表現と第１表示数「から」第２表示数「までを範囲とする」という表現は本明細書において互換的に使用され、その第１表示数と第２表示数並びにそれらの表示数の間の全ての分数及び整数を含むことが意図されている。
【０１６７】
本明細書において使用される場合、「方法」という言葉は所与の仕事を完遂するための方式、手段、技術、及び技法を指し、それらの方式、手段、技術、及び技法には化学分野、薬学分野、生物学分野、生化学分野、及び医学分野の専門家に知られているか、又はそれらの専門家よって公知の方式、手段、技術、及び技法から容易に開発される方式、手段、技術、及び技法が含まれるが、これらに限定されない。
【０１６８】
明確にするために別々の実施形態についての文脈で記載されている本発明のある特定の特徴は、単一の実施形態において組み合わせて提示されてもよい、ということを理解されたい。逆に、簡潔にするために単一の実施形態に記載されている本発明の様々な特徴は、本発明の他のあらゆる記載された実施形態において別々に、又はあらゆる適切な部分的組合せで、又は適宜提示されてもよい。様々な実施形態の文脈の中で、ある特定の特徴が無いときにそれらの実施形態が実施不能ではない限り、それらの要素はそれらの実施形態の必須の特徴であると考えられるべきではない。
【０１６９】
これまでに詳細に説明され、且つ、以下の特許請求の範囲の部分で請求される本発明の、様々な実施形態及び態様の実験的な裏付けが、以下の実施例において認められる。
【実施例】
【０１７０】
これより以下の実施例を参照する。該実施例は、上記の説明と共に、本発明の幾つかの実施形態を非限定的な形で例示する。
【０１７１】
実験方法と結果
一般的に行われるように露地で栽培することに代えて、ポリエチレンシート（イスラエル、Ｇｅｎｉｇａｒ社の「サン・セレクター」ＡＶ  ｔｈｅｒｍａｌ  ＩＲ、Ｃ４００  ＩＲ  ＡＶ  ＤＩＦＦ−１２０ミクロン）で覆われたトンネルの中で、セイヨウマツムシソウの実生を栽培した。
【０１７２】
ポリエチレンシート下での栽培の結果として、紫外線（ＵＶ）放射は実質的に少なくとも５０％低下し（表１中の値（表１を参照されたい）はＰＡＲ（４００〜７００ｎｍ）の値である）、それにより、ＵＶ無し（１００％遮断）且つＰＡＲ放射５０％という新規な気候条件下で花が発生した（flower development）。これによりこの品種がより大輪の花とより長く且つより太い花柄とを示すことになった。
【０１７３】
【表１】
2020534827.tif 000002
【０１７４】
花及び花柄の特徴に対する放射の効果を示すために花サイズ、花柄長、及び花柄直径を測定して２種類の栽培法下の次の商業品種、すなわちチェリーバニラスクープ（商標）、ブラックベリースクープ（商標）、マシュマロスクープ（商標）、及びバニラスクープ（商標）を比較した。
【０１７５】
前記系統の一部はポリエチレンフィルム下で一セットの新しい特徴を示すことが分かった。この一部の品種は露地と比較してポリエチレンフィルム下では花のサイズがより大きく、花柄がより長く、且つ、太い。ポリエチレンフィルム下での花の形態の変化の特徴には舌状花と管状花の量の増加もあった（表２を参照されたい）。ポリエチレンフィルム下におけるより大輪の花の発生の主な形態学的な要因は、舌状花と管状花の両方で花の量が多いことである。これらの花が発生し、開花すると、より大輪の花という表現型を観察することができる。
【０１７６】
管状花の量（quantity）は、気候条件に対して最も強い応答を示し、単一の花托（receptacle）当たり最大で２３４％の量の増加を示している。舌状花も単一のreceptacle当たり最大で６７％の中程度の量の増加を示している（表２を参照されたい）。
【０１７７】
【表２】
2020534827.tif 000003
【０１７８】
選択された、小花が大きい系統でも、ポリエチレンカバー下での小花数の増加が観察された。小花数の大きな違いは舌状花にあった。
【０１７９】
【表２ａ】
2020534827.tif 000004
【０１８０】
【表３】
2020534827.tif 000005
【０１８１】
前記の新規な条件下で所望の応答を示した選択系統を自殖／交雑させて、（前記カバー無しの）通常放射条件のものに比べて花が実質的により大きく、且つ／又は花柄がより長く、且つ／又は花柄がより太いことを特徴とする、新しい生殖細胞質を作製した。上述の形質についてこれらの系統を安定化した。下の表４はこれらの系統の表現型の説明を提示している。
2020534827.tif 000006
【０１８２】
図１Ａ〜図１Ｏはポリエチレンカバーでの被覆に応答した特徴の変化を示している。市販の品種であるブラックベリースクープを対照として使用した。この品種は成熟時に直径が５ｃｍ未満である花と長さが４５ｃｍ未満であり、且つ、直径が３．５ｃｍ未満である花柄を特徴とする。花本発明の幾つかの実施形態に従って得られる大輪の花と対照との間の差の統計学的有意性を判定するためにｔ検定を実施した。ポリエテンカバー下のときにのみ差が統計学的に有意である（＊Ｐ値＞０．０２、＊＊Ｐ値＜０．０２）。
【０１８３】
遺伝的バックグラウンド１：
２０１２年のイスラエルの冬の間にポリエチレンフィルム下のトンネル構造物のなかでラベンダースクープ（商標）を栽培した。これらの条件下でマツムシソウ植物はわずかに大きい（通常の放射、すなわち覆われていない場合のこの品種の通常の特徴である６ｃｍの花、より大きい７ｃｍの）花を有する。この植物体を自家受粉させた。低放射（上記の通りのポリエチレンシート）下で栽培と選別を行った。
【０１８４】
２０１３年から２０１５年の間にこの植物体の自家受粉から約１０００種子の集団を得た。
【０１８５】
これらの子孫種子を播種し、それらのうちの７００植物体を観察と花サイズ及び／又は花柄長及び／又は花柄径についての選別のためにトンネル内で栽培し、大輪の花及び／又は長い花柄及び／又は太い花柄を示す４系統（１４８４、１４８３、１５０３、１５０４）を得た。１４８３、１５０３、１５０４は長く、且つ、太い花柄と大輪の花を有する品種である。１４８４は大輪の花と長い花柄を有する品種である。
【０１８６】
２０１６年の間に品種１５０３を温室内に植え、そして自家受粉させた。低放射（上記の通りのポリエチレンシート）下で栽培と選別を行った。
【０１８７】
２０１６年の間にこの植物体の自家受粉から約３００種子の集団を得た。これらの子孫種子を播種し、それらのうちの２００植物体を観察と花サイズ及び／又は花柄長及び／又は花柄径及び／又はボール形状及び／又は花床苞葉（鱗片）長についての選別のためにトンネル内で栽培し、花サイズ及び／又は花柄長及び／又は花柄径及び／又は花型（ボール形状）及び／又は花床苞葉（鱗片）長を示す３系統（１５３９、１５８９、１６３５）を得た。１５３９、１５８９はボール形状花（ボール形状）、大輪の花、長く、且つ、太い花柄を有する品種である。１６３５はより長い花床苞葉（鱗片）を有する品種である。
【０１８８】
遺伝的バックグラウンド２：
本発明者は、２０１４年の１２月にトンネル（上記の通り）内で栽培されるとわずかに大きい（この品種の通常の特徴である６ｃｍの花より大きい、８ｃｍの）花を有するセイヨウマツムシソウ植物（１４２３をバックグラウンドとする）を発見した。
【０１８９】
２０１５年と２０１６年との間に１４２３の自然受粉及び自家受粉から約４５０種子の集団を得た。
【０１９０】
これらの子孫種子を播種し、それらのうちの約２５０植物体を観察と花サイズ及び／又は花柄長及び／又は花柄径についての選別のためにポリエチレンフィルムで被覆されたトンネル内で栽培し、大輪の花及び／又は長い花柄及び／又は太い花柄を示す８系統（１４９６、１５７７、１５９２、１５９３、１５９７、１５２８、１５２１、１５６２）を得た。１４９６、１５７７、１５９２、１５９３、１５９７、１５２８、１５２１、１５６２、１５９３は大輪の花を有する品種である。
【０１９１】
遺伝的バックグラウンド３：
本発明者は、２０１４年の１２月にトンネル（上記の通り）内で栽培されるとわずかに大きい（この品種の通常の特徴である６ｃｍの花より大きい、８ｃｍの）花を有するマツムシソウ植物（１４３４をバックグラウンドとする）を発見した。
【０１９２】
２０１５年と２０１６年との間に１４３４の自然受粉及び自家受粉から約４００種子の集団を得た。
これらの子孫種子を播種し、それらのうちの３２５植物体を観察と花サイズ及び／又は花柄長及び／又は花柄径についての選別のためにポリエテンフィルムで被覆されたトンネル内で栽培し、大輪の花及び／又は長い花柄及び／又は太い花柄を示す４系統（１５５５、１５７５、１５７４、１５５０、１５７６）を得た。
【０１９３】
１５７４、１５７６、１５５５、１５７５、１５５０は大輪の花と長く太い花柄を有する品種である。
【０１９４】
本発明を本発明の特定の実施形態と併せて説明してきたが、当業者が多くの代案、改変、及び変更を思いつくことは明白である。したがって、添付されている特許請求の範囲の主旨と広範な範囲内にあるかかる代案、改変、及び変更の全てが本発明に包含されるものとする。
【０１９５】
本明細書において言及された全ての刊行物、特許、及び特許出願は各々個々の刊行物、特許、又は特許出願が特異的、且つ、個別に参照により本明細書に援用されると表示される場合と同じ程度で全体が参照により本明細書に援用される。加えて、本願書におけるあらゆる参照文献の引用又は特定は、当該参照文献が本発明の先行技術として利用可能であることの自認とは解釈されないものとする。節毎の見出しを使用する限り、それらの見出しは必ず限定を意図するものと解釈されるべきではない。
【図１Ａ】
2020534827.tif 000007
【図１Ｂ】
2020534827.tif 000008
【図１Ｃ】
2020534827.tif 000009
【図１Ｄ】
2020534827.tif 000010
【図１Ｅ】
2020534827.tif 000011
【図１Ｆ】
2020534827.tif 000012
【図１Ｇ】
2020534827.tif 000013
【図１Ｈ】
2020534827.tif 000014
【図１Ｉ】
2020534827.tif 000015
【図１Ｊ】
2020534827.tif 000016
【図１Ｋ】
2020534827.tif 000017
【図１Ｌ】
2020534827.tif 000018
【図１Ｍ】
2020534827.tif 000019
【図１Ｎ】
2020534827.tif 000020
【図１Ｏ】
2020534827.tif 000021
【国際調査報告】
2020534827.tif 000022
2020534827.tif 000023
2020534827.tif 000024